(57)【要約】      （修正有）【課題】設置面や壁面との密着面積が大きくても、設置面側や壁面側の通気口が封止されることなく、上に布団などを載せてスノコとして利用する場合でも上面側の通気性が失われることのない吸着体収納具及び容器入り吸着体を提供する。【解決手段】除湿や脱臭機能を有する多孔質体を通気性を有する袋体に充填した吸着体２を収容するための容器であって、多数の通気口３２と該通気口から該吸着体２を離反させて支持するスペーサを備える。【選択図】図１
2006312490.tif 000002
【特許請求の範囲】
【請求項１】
除湿や脱臭機能を有する多孔質体を通気性を有する袋体に充填した吸着体を収容するための容器であって、多数の通気口と該通気口から該吸着体を離反させて支持するスペーサを備えたことを特徴とする吸着体収納具。
【請求項２】
通気口とスペーサは、切込による折込片によって形成する請求項１記載の吸着体収納具。
【請求項３】
切込片は、先端に差込片を有しコの字状に折曲して該差込片を容器本体に設けた差込孔に挿通する請求項２記載の吸着体収納具。
【請求項４】
内面側の折込片以外の箇所に別体のスペーサ部材を設けた請求項２記載の吸着体収納具。
【請求項５】
吸着体は袋体を貫通する係止孔を有し、容器に該係止孔に挿通させる係止具を備えた請求項１、２、３又は４記載の吸着体収納具。
【請求項６】
多数の通気口を備えた容器に、通気性を有する袋体に除湿や脱臭機能を有する多孔質体を充填した吸着体を、該通気口から該吸着体を離反させて支持させるスペーサを介して収容したことを特徴とする容器入り吸着体。
【請求項７】
通気口とスペーサは、切込による折込片によって形成する請求項６記載の容器入り吸着体。
【請求項８】
切込片は、先端に差込片を有しコの字状に折曲して該差込片を容器本体に設けた差込孔に挿通する請求項７記載の容器入り吸着体。
【請求項９】
容器は、内面側の折込片以外の箇所に別体のスペーサ部材を設けた請求項７記載の容器入り吸着体。
【発明の詳細な説明】
【技術分野】
【０００１】
本発明は、通気性を有する袋体に除湿や脱臭機能を有する多孔質体を充填した吸着体を収容する収納具及び容器入り吸着体の改良に関するものである。
【背景技術】
【０００２】
従来より除湿や脱臭を目的として、木炭や活性炭などの多孔質体を押入や戸棚、床下等に設置している。このような多孔質体は、通常、不織布などの通気性を有する袋体に充填して用いられる。多孔質体としては、例えば木炭やこれを粉砕したもの、或いは粒体などがある。
【０００３】
通気性を有する袋体に充填された吸着体は、そのまま床下などに設置する場合もあるが、特許文献１のように段ボールなどの紙やプラスチックのケースに収容して用いられていれる。吸着体をケースに収容することにより、縦置きができることや、スノコの代用として利用することが可能となる。このような吸着体収納ケースには、周面に多数の通気口が設けられている。
【特許文献１】実用新案登録第３０７１６７１号
【発明の開示】
【発明が解決しようとする課題】
【０００４】
ところが、吸着体をそのまま用いる場合は設置面や壁面との密着面積が大きくなることや、多数の通気口を設けたケースに収容した場合でも、設置面側や壁面側の通気口が封止されることになり、通気性が遮断されてしまう。しかも、上に布団などを載せてスノコとして利用すれば、上面側の通気性も失われることになる。このようなことから、従来の吸着体では周辺の湿気や臭いの吸着機能を充分発揮することができない構造的な問題を有していた。
【課題を解決するための手段】
【０００５】
そこで本発明者は上記問題に鑑み鋭意研究の結果、本発明を成し得たものであり、その特徴とするところは、吸着体収納具の発明にあっては、除湿や脱臭機能を有する多孔質体を通気性を有する袋体に充填した吸着体を収容するための容器であって、多数の通気口と該通気口から該吸着体を離反させて支持するスペーサを備えたことにある。
【０００６】
容器入り吸着体の発明にあっては、多数の通気口を備えた容器に、通気性を有する袋体に除湿や脱臭機能を有する多孔質体を充填した吸着体を、該通気口から該吸着体を離反させて支持させるスペーサを介して収容したことにある。
【０００７】
ここで、本明細書中でいう「多孔質体」とは、湿気や臭いを吸着しやすい多孔質構造であり、木炭、活性炭、竹炭などである。これらを通気性のある袋体に充填することによって、吸着体として用いる。通気性を有する袋体としては、上述した不織布の他、通気性を備えた合成樹脂フィルムやこれらを積層したラミネートフィルムなどである。吸着体としては、袋体を貫通する係止孔を設ければ、容器内で保持固定することができ、袋体内での多孔質体の片寄りも軽減することができる。係止孔を設けることにより、押入や洋服ダンスなどに吊したり、複数連結して脱臭や乾燥に供することも可能となる。
【０００８】
「容器」とは、吸着体を収容する紙若しくはプラスチック製の容器をいう。本発明においては、容器を構成する面に多数の通気口と該通気口から吸着体を離反させるスペーサを備えた構造であればよく、直方体、円柱、円錐、角錐など形状も任意で、組み立て構造についても特に限定しない。通気口とスペーサは、吸着体と容器内面との間に空隙部を確保して通気性を維持することを目的とする。例えば、容器を構成する面に切込による折込片を設けたり、穿設した貫通孔の周辺に厚みのある部材で形成したスペーサを容器内面側に固着する。また、吸着体を収納するときに別体に形成したスペーサを介在させる場合である。
【０００９】
切込による折込片は、曲線や複数の直線で切込を入れ、切込とその端部を結ぶ折曲部によって囲まれる部分である。この折込片を内方にほぼ直角に折り曲げることでスペーサとして機能させると同時に通気口も形成することができる。折込片には、１乃至複数の折曲部を設けて折り曲げるようにしてもよい。Ｌ字状、シャッター状、コの字状に折り曲げる場合であり、折り曲げた状態を保持しやすくしたり、通気口の開口面積を調整することも可能となる。
【００１０】
折込片を設けた構造の場合は、折込片を折り曲げることによって初めて通気口が形成されるため、折込片を折り曲げることなく輸送や保管することにより、吸着体の機能を保護することができる。また、通気口を形成するまでは、各面に開口部が存在しないことから全面印刷することも可能であり、宣伝効果や意匠的な効果を高めることができる。さらに、使用場所や時期に応じて折込片の折り曲げる数を調整して吸着効果の調整を図ることができる。
【発明の効果】
【００１１】
本発明に係る吸着体収納具及び容器入り吸着体は、容器に多数の通気口と、収容した吸着体に通気性を確保するスペーサ機能を付与させたことにより、吸着体としての機能を最大限に発揮させることができる。例えば、床下に設置した場合、吸着体が地面やコンクリート面、壁面に直接接することなく通気層が介在しているため、床下空間全体の雰囲気から除湿することが可能となる。このことは、押入などに設置する場合も同様で、スノコとして利用しても通気性を確保して除湿性能を充分発揮できるなど極めて有益な効果を有するものである。
【発明を実施するための最良の形態】
【００１２】
本発明は、通気性を有する袋体に多孔質体を充填した吸着体を、切込による折込片や、多数の通気口とスペーサを備えた容器に収容したことにより、上述課題を解決した。
【実施例１】
【００１３】
図１は、本発明に係る容器入り吸着体１の一例であり、段ボール製の箱体に、破砕した木炭を不織布で形成した袋体に充填した吸着体２を収容したものである。この箱体は、本発明に係る吸着体収納具３の一例で、各面に切込による折込片３１を多数設けた構造である。各折込片３１を内側にほぼ直角に折り曲げることにより、通気口３２を形成すると共に吸着体２を支持し、吸着体２と収納具３との間に隙間を設けて通気性を確保している。この吸着体収納具３は、図２に示すように収納した吸着体２を収納具３の内面に密着することなく支持するため、吸着体２の全面に渡って吸着機能を発揮させることができる。
【実施例２】
【００１４】
折込片３１をスペーサとする場合には、図３（ａ）のように収納具３の内面に別体の保持具３４を設け、折込片３１を折り曲げた状態に保持させるようにしてもよい。また、同図（ｂ）のように折込片３１と併用する別体のスペーサ３３を収納具３の内面に設けてもよい。
【００１５】
本発明に係る吸着体収納具３は、切込による折込片３１を設けて、通気口３２の形成とスペーサ機能を付与させる構造であることから、折込片３１を折り曲げる前は図４の状態である。このため、容器入り吸着体１を保管する場合など、収容された吸着体２の保護を図ることができる。使用時や出荷時に折込片３１を折り曲げればよい。折込片３１を折り曲げやすくするため、折り曲げ部分に折罫を設けておくのが好ましい。
【実施例３】
【００１６】
折込片３１としては、図５（ａ）のようにシャッター状にしてもよい。このようにすれば、同図（ｂ）のように裏面側に折り込むこんで開口させることができる。また、本例では通気口３２に嵌め込んで連結する伸縮性のバンド４で、吸着体収納具３を構成する箱体を封止する例を示している。通気口３２に連結するバンド４を利用すれば、同図（ｃ）のように容器入り吸着体１を複数連結したり、同図（ｄ）のようにハンガーを取り付けて洋服ダンス等に吊すことも容易となる。
【実施例４】
【００１７】
折込片３１としては、図６（ａ）（ｂ）のようにコの字状に折り曲げ、先端に設けた該差込片３８を差込孔３９に挿通して支持させることにより、スペーサとしてより確実に保持することができる。差込片３８と差込孔３９を係合させることで、より強固なスペーサを形成できるため、本例のように中央部に設けた２つのスペーサを高くすることで、内部に収納した吸着体５のズレを防止することができる。また、本例では、吸着体収納具３本体側のコーナー部に補強片４０を設けることで、吸着体５のズレ防止を図っている。
【実施例５】
【００１８】
図７は、本発明に係る容器入り吸着体１の他の例である。本例では、本発明に係る吸着体収納具３に吸着体２を収容している。この収納具３は直方体状段ボール製容器の各面に多数の通気口３２を穿設すると共に、各面の内面側にスペーサ３３を多数設けた構造である。各スペーサ３３で吸着体２を支持することによって、吸着体２と収納具３との間の通気性を確保している。
【実施例６】
【００１９】
図８（ａ）（ｂ）は、本発明に係る容器入り吸着体１のさらに他の例であり、各面に多数の通気口３２を穿設した段ボール製の箱体に、吸着体２をその表裏面にスペーサ３３を介在させて収容したものである。本例のスペーサ３３は幅１０mm程度の段ボールを井ゲタ状に組んで形成したものである。
【実施例７】
【００２０】
図９（ａ）は吸着体２の他の例を示すもので、袋体を貫通した係止孔２１を設けている。吸着体２に係止孔２１を設けたことにより、上述したように押入などに単体で吊り下げて使用することが可能となる。また、同図（ｂ）のように収納具３に係止具３５を設け、吸着体２の係止孔２１に係合させることにより、収納具３内での吸着体２の保持を確実にすることができる。
【００２１】
係止具３５としては、図１０（ａ）のように吸着体２の係止孔２１に挿通させる棒状部材３６と、該棒状部材３６を支持する支持部３７より構成する。支持部３７は、同図（ｂ）のように折り畳み可能な構造にしておけば、収納具３の折り畳みに邪魔にならないようにすることができる。
【実施例８】
【００２２】
収納具３としては、図１１のようなコップ形としてもよい。この場合でも多数の通気口３２とスペーサ３３を設けることにより、収容した吸着体２に対する通気性を確保することができ、女性用のブーツなどの脱臭や乾燥に有効となる。本例では、周面と底面に切込による切込片を設けた構造としているが、通気口３２を穿設してスペーサ３３を介在させる構造としてもよい。
【図面の簡単な説明】
【００２３】
【図１】本発明に係る容器入り吸着体の一例を示す斜視図である。（実施例１）
【図２】図１に示した容器入り吸着体の縦断面図である。
【図３】本発明に係る容器入り吸着体の他の例を示すもので、（ａ）は部分斜視図、（ｂ）は縦断面図である。（実施例２）
【図４】本発明に係る吸着体収納具の一例を示す斜視図である。
【図５】（ａ）は本発明に係る吸着体収納具の他の例を示す平面図、（ｂ）は（ａ）の部分断面図、（ｃ）は吸着体収納具をバンドで連結した状態を示す平面図、（ｄ）は吸着体収納具にハンガーを取り付けた例を示す正面図である。（実施例３）
【図６】（ａ）は本発明に係る吸着体収納具のさらに他の例を示す斜視図、（ｂ）は（ａ）の蓋を開けた状態の斜視図である。（実施例４）
【図７】本発明に係る容器入り吸着体の他の例を示す斜視図である。（実施例５）
【図８】本発明に係る容器入り吸着体のさらに他の例を示すもので、（ａ）は横断面図、（ｂ）は立て断面図である。（実施例６）
【図９】（ａ）は係止孔を設けた吸着体を示す平面図、（ｂ）は（ａ）の吸着体を係止具を設けた収納具に収納した状態を示す横断面図である。（実施例７）
【図１０】（ａ）（ｂ）はそれぞれ係止具の他の例を示すもので、（ａ）は側面図、（ｂ）は斜視図である。
【図１１】本発明に係る容器入り吸着体のさらに他の例を示す斜視図である。（実施例８）
【符号の説明】
【００２４】
１  容器入り吸着体
２  吸着体
２１  係止孔
３  吸着体収納具
３１  折込片
３２  通気口
３３  スペーサ
３４  保持具
３５  係止具
３６  棒状部材
３７  支持部
３８  差込片
３９  差込孔
４０  補強片
４  バンド
【図１】
2006312490.tif 000003
【図２】
2006312490.tif 000004
【図３】
2006312490.tif 000005
【図４】
2006312490.tif 000006
【図５】
2006312490.tif 000007
【図６】
2006312490.tif 000008
【図７】
2006312490.tif 000009
【図８】
2006312490.tif 000010
【図９】
2006312490.tif 000011
【図１０】
2006312490.tif 000012
【図１１】
2006312490.tif 000013